(57)【要約】      （修正有）【課題】折り畳み及び多角度回転での照明が実現され、照明範囲が大きく、収納しやすく、自撮り棒用のフラッシュや、電気スタンド、通常の自家照明灯等の多用途の照明が可能な折り畳み式灯具を提供する。【解決手段】本体１００と、回転部材と、側面発光部材３１０、３２０とを含む折り畳み式灯具であって、回転部材はボトムキャップ２１０を介して本体と回転可能に接続され、側面発光部材はボトムキャップと回転可能に接続される。側面発光部材と回転部材を回転させることによって、側面発光部材は本体から広がったり本体に収まったりする。【選択図】図５
0003229271.tif 000002
【実用新案登録請求の範囲】
【請求項１】
本体と、
前記本体と回転可能に接続される回転部材と、
前記回転部材と回転可能に接続される側面発光部材と、
を含み、
前記側面発光部材と回転部材を回転させることによって、前記側面発光部材が前記本体から広がったり前記本体に収まったりするように構成されていることを特徴とする折り畳み式灯具。
【請求項２】
前記回転部材は前記本体の頂部に設けられることを特徴とする、請求項１に記載の折り畳み式灯具。
【請求項３】
前記回転部材はボトムキャップとトップキャップとを含み、前記ボトムキャップは、前記側面発光部材及び本体のぞれぞれと回転可能に接続され、前記トップキャップは、前記ボトムキャップを覆うように前記ボトムキャップと係合されることを特徴とする、請求項１に記載の折り畳み式灯具。
【請求項４】
前記側面発光部材は、第一側面発光部材と第二側面発光部材とを含み、前記第一側面発光部材と第二側面発光部材は、それぞれ、前記回転部材と回転可能に接続されることを特徴とする、請求項１に記載の折り畳み式灯具。
【請求項５】
前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一外側に取り付けられていることを特徴とする、請求項４に記載の折り畳み式灯具。
【請求項６】
前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一内側に取り付けられていることを特徴とする、請求項５に記載の折り畳み式灯具。
【請求項７】
前記第一側面発光部材と第二側面発光部材は、いずれも、前記ランプパネルを保護するための第一ランプカバーと、光を柔らかくする第二ランプカバーとを含み、前記第一ランプカバーは前記ランプパネルを覆い、前記第二ランプカバーは前記第一ランプカバーを覆っていることを特徴とする、請求項５に記載の折り畳み式灯具。
【請求項８】
前記側面発光部材は正面発光部材を含み、前記正面発光部材は前記本体の第二外側に取り付けられていることを特徴とする、請求項４に記載の折り畳み式灯具。
【請求項９】
前記側面発光部材は正面発光部材を含み、前記正面発光部材は前記本体の第二内側に取り付けられていることを特徴とする、請求項４に記載の折り畳み式灯具。
【請求項１０】
前記側面発光部材は前記回転部材に対する回転範囲が０°〜９０°であり、前記回転部材は前記本体に対する回転範囲が０°〜１８０°であることを特徴とする、請求項２に記載の折り畳み式灯具。
【考案の詳細な説明】
【技術分野】
【０００１】
本考案は照明設備の分野に関し、特に折り畳み式灯具に関する。
【背景技術】
【０００２】
照明用の様々な灯具が市販されているが、従来では、灯具は電灯のみとして単純な照明に用いられていた。社会の発展に従って、様々な場所で灯具を用いるようになり、種々のニーズを満たしている。
【０００３】
現在、市販の灯具は種類が非常に多く、その用途によっても、各種の異なる種別に細かく分けられている。しかし、現在市販されている灯具は用途が単一であるものが多いばかりか、照明範囲が小さくて収納しがたく、消費者からの様々な場面での利用におけるニーズを満たすことができなかった。
【考案の概要】
【考案が解決しようとする課題】
【０００４】
本考案は、多用途のもので照明範囲が大きく、収納しやすい折り畳み式灯具を提供することを目的とする。
【課題を解決するための手段】
【０００５】
本考案は、本体と、回転部材と、側面発光部材とを含む折り畳み式灯具を開示した。前記回転部材は前記本体と回転可能に接続され、前記側面発光部材は前記回転部材と回転可能に接続される。そのうち、前記側面発光部材と回転部材を回転させることによって、前記側面発光部材が前記本体から広がったり前記本体に収まったりするように構成されている。
【０００６】
任意には、前記回転部材は前記本体の頂部に設けられる。
【０００７】
任意には、前記回転部材はボトムキャップとトップキャップとを含み、前記ボトムキャップは、前記側面発光部材及び本体のそれぞれに回転可能に接続され、前記トップキャップは、前記ボトムキャップを覆うように前記ボトムキャップと係合される。
【０００８】
任意には、前記側面発光部材は、第一側面発光部材と第二側面発光部材とを含み、前記第一側面発光部材と第二側面発光部材は、それぞれ、前記回転部材と回転可能に接続される。
【０００９】
任意には、前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一外側に取り付けられている。
【００１０】
任意には、前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一内側に取り付けられている。
【００１１】
任意には、前記第一側面発光部材と第二側面発光部材は、いずれも、前記ランプパネルを保護するための第一ランプカバーと、光を柔らかくする第二ランプカバーとを含み、前記第一ランプカバーは前記ランプパネルを覆い、前記第二ランプカバーは前記第一ランプカバーを覆っている。
【００１２】
任意には、前記側面発光部材は正面発光部材を含み、前記正面発光部材は前記本体の第二外側に取り付けられている。
【００１３】
任意には、前記側面発光部材は正面発光部材を含み、前記正面発光部材は前記本体の第二内側に取り付けられている。
【００１４】
任意には、前記側面発光部材は前記回転部材に対する回転範囲が０°〜９０°であり、前記回転部材は前記本体に対する回転範囲が０°〜１８０°である。
【考案の効果】
【００１５】
本考案による灯具では、側面発光部材は、それ自体が回転すると共に、回転部材により本体に対して回転するようになっており、本体に収まるように折り畳むこともできれば、本体から広がることもでき、折り畳み及び多角度回転での照明が実現され、照明範囲が大きく、収納しやすいものとなっている。そのため、例えば、自撮り棒用のフラッシュや、電気スタンド、通常の自家照明灯等の多用途の照明が可能になる。
【００１６】
図面は本考案の実施例に対するさらなる理解のためのもので明細書の一部を構成するものであり、本考案の実施形態を例示するために用いられながら、文字に基づく説明とともに本考案の原理を詳しく解釈するものとなる。下記の図面は単なる本考案の幾つかの実施例に過ぎず、当業者にとっては、創造的な労力を費やすことなく、これらの図面から他の図面を得ることができることは明らかである。
【図面の簡単な説明】
【００１７】
【図１】本考案の一実施例による折り畳み式灯具の模式図である。
【図２】本考案の一実施例による折り畳み式灯具の他の模式図である。
【図３】本考案の一実施例による折り畳み式灯具の他の模式図である。
【図４】本考案の一実施例による折り畳み式灯具の広がり状態を示す模式図である。
【図５】本考案の一実施例による折り畳み式灯具の一部分解図である。
【図６】図２におけるＡ−Ａ方向の断面図である。
【図７】本考案の一実施例による折り畳み式灯具の他の広がり状態を示す模式図である。
【図８】本考案の一実施例による折り畳み式灯具の他の広がり状態を示す模式図である。
【図９】本考案の一実施例による折り畳み式灯具の他の広がり状態を示す模式図である。
【図１０】本考案の一実施例によるねじ穴の模式図である。
【図１１】本考案の一実施例による折り畳み式灯具の他の模式図である。
【図１２】本考案の一実施例による折り畳み式灯具の他の広がり状態を示す模式図である。
【図１３】本考案の一実施例による折り畳み式灯具の他の広がり状態を示す模式図である。
【図１４】本考案の一実施例による折り畳み式灯具の他の広がり状態を示す模式図である。
【図１５】本考案の一実施例による折り畳み式灯具の他の広がり状態を示す模式図である。
【考案を実施するための形態】
【００１８】
ここで使用される用語や、開示される具体的な構造と機能の詳細はあくまでも具体的な実施例を述べるための代表的なものであり、本考案は数多くの取替形態により具体的に実現可能であり、ここで述べられる実施例のみに限られるものとして解釈されるべきではないことは理解されたい。
【００１９】
本考案の説明では、「第一」や「第二」という用語は目的を説明するためのものに過ぎず、相対的な重要性を表すもの、あるいは、示される技術的特徴の数を暗示するものとして理解すべきではない。したがって、別途説明していない限り、「第一」や「第二」という限定の付いた特徴は一つ又はより多くの当該特徴を含むものを明示又は暗示することができ、「複数」は二つ又はそれ以上を意味する。「含む」の用語及びそのあらゆる変形は非排他的に包含することを意味し、一つ又はより多くの他の特徴や整数、ステップ、操作、ユニット、部材及び／又はその組合せが存在するか追加とされる可能性がある。
【００２０】
また、「中心」、「横方向」、「上」、「下」、「左」、「右」、「垂直」、「水平」、「頂」、「底」、「内」、「外」等の方位や位置関係を表す用語は、図面に示される方位又は相対的な位置関係に基づいて述べられるものであり、本考案を簡略化させて説明しやすくするためのものに過ぎず、その装置や素子が有さないといけない特定の方位や、特定の方位での構造と操作を意味するものではないため、本考案への制限として理解すべきではない。
【００２１】
また、別段の明確な規定や限定がない限り、「取り付け」、「繋がり」、「接続」という用語は広い意味で理解されるべきである。例えば、固定接続であってもよく、取り外し可能な接続であってもよく、あるいは、一体的な接続であってもよく、また、機械的接続であってもよく、電気的接続であってもよく、また、直接繋がってもよく、他の部品を介して間接的に繋がってもよく、あるいは、二つの素子内部での連通であってもよい。当業者にとっては、具体的な状況のもとに、上記用語の本考案での具体的な意味を理解することができる。
【００２２】
以下、図面と好ましい実施例を参照として本考案について詳細に説明する。
【００２３】
図１〜図４に示されるように、本考案の一実施例として、本体１００と、回転部材２００と、側面発光部材３００とを含む折り畳み式灯具を開示する。前記回転部材２００は前記本体１００と回転可能に接続され、前記側面発光部材３００は前記回転部材２００と回転可能に接続される。そのうち、前記側面発光部材３００と回転部材２００を回転させることによって、前記側面発光部材３００は前記本体１００から広がったり前記本体１００に収まったりするように構成されている。
【００２４】
本考案による灯具では、側面発光部材３００は、それ自体が回転すると共に、回転部材２００により本体１００に対して回転するようになっており、本体１００に収まるように折り畳むこともできれば、本体１００から広がることもでき、折り畳み及び多角度回転での照明が実現され、照明範囲が大きく、収納しやすいものとなっている。そのため、例えば、自撮り棒用のフラッシュや、電気スタンド、通常の自家照明灯等の多用途の照明が可能になる。
【００２５】
上記側面発光部材３００が前記回転部材２００と回転可能に接続されることは、多角度で回転し得ることを意味する。上記回転部材２００が前記本体１００と回転可能に接続されることは、多角度で回転し得ることを意味する。
【００２６】
具体的には、図４に示されるように、前記側面発光部材３００は、第一側面発光部材３１０と第二側面発光部材３２０とを含み、前記第一側面発光部材３１０と第二側面発光部材３２０は、それぞれ、前記回転部材２００と回転可能に接続される。前記第一側面発光部材３１０と第二側面発光部材３２０は、それ自体と回転部材２００の回転によって、前記本体１００から広がったり前記本体１００に収まったりすることが可能になる。複数の側面発光部材３００により、灯具の照明面積を大きくすることができる。前記側面発光部材３００が第四側面発光部材３００や第五側面発光部材３００等をさらに含み、それらがそれぞれ前記回転部材２００と回転可能に接続されてもよいことは言うまでもなく、側面発光部材３００の具体的な数には限定がない。
【００２７】
前記回転部材２００は前記本体１００の頂部に設けられ、回転部材２００と側面発光部材３００が回転しやすくなる一方、照明しやすくなる。
【００２８】
具体的には、図５と図６に示されるように、前記第一側面発光部材３１０と第二側面発光部材３２０は、いずれも、取付用ベース３１１と、光源となるランプパネル３１２とを含み、前記取付用ベース３１１は前記回転部材２００と回転可能に接続され、前記ランプパネル３１２は前記取付用ベース３１１の第一外側３１１ａに取り付けられる。第一側面発光部材３１０と第二側面発光部材３２０が折り畳み状態にある場合でも、側面発光部材３００をオンにして照明することができる。具体的には、前記ランプパネル３１２はＰＣＢボード３１２ａと、ＰＣＢボード３１２ａに設けられるランプビーズ３１２ｂとを含む。
【００２９】
また、図１１〜１５に示されるように、前記ランプパネルは前記取付用ベースの第一内側に取り付けられるようにしてもよい。この場合、第一側面発光部材と第二側面発光部材を折り畳むことにより、ランプパネル等を保護可能になり、第一側面発光部材と第二側面発光部材へほこりが付着して照明に悪影響を与えることも発生しにくくなる。
【００３０】
図４及び図５に示されるように、あるいは、図１１〜１５に示されるように、取付用ベース３１１の第一外側３１１ａとは、第一側面発光部材３１０と第二側面発光部材３２０の折り畳み状態での両者における外方に露出した側を言う。また、図１１〜１５に示されるように、取付用ベースの第一内側３１１ｂとは、第一側面発光部材３１０と第二側面発光部材３２０の折り畳み状態での両者における内にある側を言うことは了解されたい。
【００３１】
前記第一側面発光部材３１０と第二側面発光部材３２０は、いずれも、前記ランプパネル３１２を保護するための第一ランプカバー３１３と、光を柔らかくする第二ランプカバー３１４とを含み、前記第一ランプカバー３１３は前記ランプパネル３１２を覆い、前記第二ランプカバー３１４は前記第一ランプカバー３１３を覆っている。第一ランプカバー３１３により、ランプパネル３１２を保護でき、第二ランプカバー３１４により、ランプパネル３１２からの光をより柔らかくして、より快適に使用可能にすることができる。第二ランプカバー３１４に対して彫刻処理を施して模様が作られているので、光に乱反射を発生させて柔らかくすることができる。
【００３２】
前記第一側面発光部材３１０と第二側面発光部材３２０はいずれも装飾のための装飾用枠３１５を含み、前記装飾用枠３１５は前記第二ランプカバー３１４を取り囲んで一周するように設けられる。装飾用枠３１５は装飾の役割を果たして、灯具全体の美観を一層高くする。具体的には、装飾用枠３１５を様々な目立つ色にし、あるいは、その表面に各種の模様を印刷すること等ができる。
【００３３】
前記側面発光部材３００は正面発光部材４００をさらに含み、前記正面発光部材４００は前記本体１００の第二外側１１０に取り付けられる。
【００３４】
また、図１１〜１５に示されるように、前記正面発光部材は前記本体の第二内側１２０に取り付けられるようにしてもよい。この場合、第一側面発光部材と第二側面発光部材を折り畳むことにより、本体にある正面発光部材を覆うことができ、正面発光部材のランプパネル等の部品等を保護可能になり、正面発光部材へほこりが付着して照明に悪影響を与えることも発生しにくくなる。
【００３５】
図７に示されるように、あるいは、図１１〜１５に示されるように、本体１００の第二外側１１０とは、第一側面発光部材３１０と第二側面発光部材３２０の折り畳み状態での本体１００における外方に露出した側を言い、図８に示されるように、あるいは、図１１〜１５に示されるように、本体の第二内側１２０とは、第一側面発光部材３１０と第二側面発光部材３２０の折り畳み状態での本体１００における内方にある側を言うことは了解されたい。
【００３６】
同様に、前記正面発光部材４００も光源となるランプパネル３１２と、前記ランプパネル３１２を保護するための第一ランプカバー３１３と、光を柔らかくする第二ランプカバー３１４と、装飾のための装飾用枠３１５とを含む。前記ランプパネル３１２は前記本体１００の第二外側１１０に取り付けられ、前記第一ランプカバー３１３は前記ランプパネル３１２を覆い、前記第二ランプカバー３１４は前記第一ランプカバー３１３を覆い、前記装飾用枠３１５は前記第二ランプカバー３１４を取り囲んで一周するように設けられる。第一ランプカバー３１３により、ランプパネル３１２を保護でき、第二ランプカバー３１４により、ランプパネル３１２の光をより柔らかくして、より快適に使用可能にすることができる。第二ランプカバー３１４に対して彫刻処理を施して模様が作られているので、光に乱反射を発生させて柔らかくすることができる。装飾用枠３１５は装飾の役割を果たして、灯具全体の美観を一層高くする。具体的には、装飾用枠３１５を様々な目立つ色にし、あるいは、その表面に各種の模様を印刷すること等ができる。
【００３７】
前記側面発光部材３００は、前記回転部材２００に対する回転範囲が０°〜９０°であり、図４に示されるように、側面発光部材３００が本体１００から広がることによって、多角度の照明が実現される。前記回転部材２００は、前記本体１００に対する回転範囲が０°〜１８０°である。第一側面発光部材３１０と第二側面発光部材３２０が折り畳み状態にある場合、図１に示されるように、灯具は電気スタンドや通常の照明設備として用いられてもよい。側面発光部材３００が本体１００から０°〜９０°広がった場合、回転部材２００はさらに０°〜９０°回転でき、この場合、図７と図８に示されるように、第一側面発光部材３１０，第二側面発光部材３２０及び正面発光部材４００は同一平面上にあり、フラッシュとして使用可能となる。側面発光部材３００が本体１００から０°〜９０°広がった場合、図９に示されるように、回転部材２００はさらに０°〜１８０°回転でき、電気スタンドとして用いることができる。
【００３８】
図５に示されるように、前記回転部材２００はボトムキャップ２１０とトップキャップ２２０とを含み、前記ボトムキャップ２１０は、前記側面発光部材３００及び本体１００のそれぞれと回転可能に接続され、前記トップキャップ２２０は、前記ボトムキャップ２１０を覆うように前記ボトムキャップと係合される。
【００３９】
図１，図２，図６に示されるように、前記灯具は、蓄電池５００、充電ポート６００、スイッチボタン７００及び輝度調節ボタン８００をさらに含む。前記蓄電池５００は灯具の電源となり、前記充電ポート６００は蓄電池５００への充電に用いられ、前記スイッチボタン７００は照明部材の電源をオン・オフにするためのものであり、前記輝度調節ボタン８００は照明部材の輝度を調節するためのものである。具体的には、前記蓄電池５００は前記本体１００内に設けられ、前記充電ポート６００，スイッチボタン７００及び輝度調節ボタン８００は前記本体１００の底部に設けられる。図１０に示されるように、前記本体１００の底部には、自撮り棒と螺合されて灯具を自撮り時のフラッシュとして用いるためのねじ穴９００が設けられている。
【００４０】
上記は具体的な好ましい実施形態に合わせて本考案についてさらに詳細に説明したものであり、本考案の具体的な実施はこれらの説明のみに限られるべきではない。本考案が属する技術分野の当業者にとっては、本考案の思想から逸脱することなく、若干の簡単な変形や取替を行うこともでき、それらのすべては本考案の保護範囲に属するものである。
【符号の説明】
【００４１】
１００    本体
１１０    第二外側
１２０    第二内側
２００    回転部材
２１０    ボトムキャップ
２２０    トップキャップ
３００    側面発光部材
３１０    第一側面発光部材
３１１    取付用ベース
３１１ａ  第一外側
３１１ｂ  第一内側
３１２    ランプパネル
３１２ａ  ＰＣＢボード
３１２ｂ  ランプビーズ
３１３    第一ランプカバー
３１４    第二ランプカバー
３１５    装飾用枠
３２０    第二側面発光部材
４００    正面発光部材
５００    蓄電池
６００    充電ポート
７００    スイッチボタン
８００    輝度調節ボタン
９００    ねじ穴
【図１】
0003229271.tif 000003
【図２】
0003229271.tif 000004
【図３】
0003229271.tif 000005
【図４】
0003229271.tif 000006
【図５】
0003229271.tif 000007
【図６】
0003229271.tif 000008
【図７】
0003229271.tif 000009
【図８】
0003229271.tif 000010
【図９】
0003229271.tif 000011
【図１０】
0003229271.tif 000012
【図１１】
0003229271.tif 000013
【図１２】
0003229271.tif 000014
【図１３】
0003229271.tif 000015
【図１４】
0003229271.tif 000016
【図１５】
0003229271.tif 000017
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
本体と、
前記本体と回転可能に接続される回転部材と、
前記回転部材と回転可能に接続される側面発光部材と、
を含み、
前記側面発光部材と回転部材を回転させることによって、前記側面発光部材が前記本体から広がったり前記本体に収まったりするように構成されていることを特徴とする折り畳み式灯具。
【請求項２】
前記回転部材は前記本体の頂部に設けられることを特徴とする、請求項１に記載の折り畳み式灯具。
【請求項３】
前記回転部材はボトムキャップとトップキャップとを含み、前記ボトムキャップは、前記側面発光部材及び本体のぞれぞれと回転可能に接続され、前記トップキャップは、前記ボトムキャップを覆うように前記ボトムキャップと係合されることを特徴とする、請求項１に記載の折り畳み式灯具。
【請求項４】
前記側面発光部材は、第一側面発光部材と第二側面発光部材とを含み、前記第一側面発光部材と第二側面発光部材は、それぞれ、前記回転部材と回転可能に接続されることを特徴とする、請求項１に記載の折り畳み式灯具。
【請求項５】
前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一外側に取り付けられていることを特徴とする、請求項４に記載の折り畳み式灯具。
【請求項６】
前記第一側面発光部材と第二側面発光部材は、いずれも、取付用ベースと、光源となるランプパネルとを含み、前記取付用ベースは前記回転部材と回転可能に接続され、前記ランプパネルは前記取付用ベースの第一内側に取り付けられていることを特徴とする、請求項４に記載の折り畳み式灯具。
【請求項７】
前記第一側面発光部材と第二側面発光部材は、いずれも、前記ランプパネルを保護するための第一ランプカバーと、光を柔らかくする第二ランプカバーとを含み、前記第一ランプカバーは前記ランプパネルを覆い、前記第二ランプカバーは前記第一ランプカバーを覆っていることを特徴とする、請求項５に記載の折り畳み式灯具。
【請求項８】
前記側面発光部材は正面発光部材を含み、前記正面発光部材は前記本体の第二外側に取り付けられていることを特徴とする、請求項４に記載の折り畳み式灯具。
【請求項９】
前記側面発光部材は正面発光部材を含み、前記正面発光部材は前記本体の第二内側に取り付けられていることを特徴とする、請求項４に記載の折り畳み式灯具。
【請求項１０】
前記側面発光部材は前記回転部材に対する回転範囲が０°〜９０°であり、前記回転部材は前記本体に対する回転範囲が０°〜１８０°であることを特徴とする、請求項２に記載の折り畳み式灯具。